【手続補正書】
【提出日】平成16年5月28日(2004.5.28)
【手続補正１】
【補正対象書類名】明細書
【補正対象項目名】特許請求の範囲
【補正方法】変更
【補正の内容】
【特許請求の範囲】
【請求項１】
地図情報を読み出す地図情報読み出し手段と、氏名または施設名を入力する入力手段と、前記入力手段から氏名または施設名が入力されるとオンラインセンターにアクセスし、入力された氏名または施設名に基づいてオンラインセンターで検索された結果得られた電話番号、住所、位置の少なくともいずれかの情報を取得するアクセス手段とを有し、前記地図情報読み出し手段より地図情報を読み出して、前記アクセス手段が取得した情報に基づいて経路を作成することを特徴とする自動経路作成装置。
【請求項２】
オンラインセンターによる検索の結果住所または位置が得られず、電話番号が得られた場合は、得られた電話番号で特定される地域への経路を作成することを特徴とする請求項１記載の自動経路作成装置。
【請求項３】
オンラインセンターによる検索の結果住所または位置が得られず、電話番号が得られた場合は、得られた電話番号で特定される地域の地図情報を地図情報読み出し手段より読み出して、入力された氏名または施設名に該当する情報が得られた場合は、得られた情報に基づいて経路を作成することを特徴とする請求項１記載の自動経路作成装置。
【請求項４】
前記入力手段から入力された施設名、氏名をまず前記地図情報読み出し手段より検索し、対応する特定できる位置、住所、電話番号等の情報を得られた場合には、オンラインセンターにアクセスせずに得られた情報に対応する位置までの経路を作成することを特徴とする請求項１記載の自動経路作成装置。
【請求項５】
オンラインセンターで検索された位置、住所、電話番号等の情報を記憶する記憶手段をさらに有し、前記アクセス手段は、前記入力手段から氏名または施設名が入力されると、オンラインセンターにアクセスする前にまず前記記憶手段を検索し、前記入力手段から入力された氏名または施設名に対応する位置、住所、電話番号が得られた場合はオンラインセンターにアクセスせずに、得られた位置、住所、電話番号に基づき、経路を作成することを特徴とする請求項１記載の自動経路作成装置。
【請求項６】
複数のオンラインセンターのうちから一つを選択する手段をさらに有し、選択されたオンラインセンターにアクセスして検索を行い、経路を作成することを特徴とする請求項１〜３のいずれかに記載の自動経路作成装置。
【手続補正２】
【補正対象書類名】明細書
【補正対象項目名】０００７
【補正方法】変更
【補正の内容】
【０００７】
【発明の実施の形態】
本発明の請求項１に記載の発明は、地図情報を読み出す地図情報読み出し手段と、氏名または施設名を入力する入力手段と、入力手段から氏名または施設名が入力されるとオンラインセンターにアクセスし、入力された氏名または施設名に基づいてオンラインセンターで検索された結果得られた電話番号、住所、位置の少なくともいずれかの情報を取得するアクセス手段とを有し、地図情報読み出し手段より地図情報を読み出して、アクセス手段が取得した情報に基づいて経路を作成することを特徴とする自動経路作成装置であり、地図上に目的の住所または位置、施設への経路が自動的に示され、地図上で目的の住所または位置、施設を探してまわる手間がかからなく、そのナビゲーションを容易にするという作用を有する。
【手続補正３】
【補正対象書類名】明細書
【補正対象項目名】０００８
【補正方法】変更
【補正の内容】
【０００８】
本発明の請求項２に記載の発明は、請求項１に記載の自動経路作成装置において、オンラインセンターによる検索の結果住所または位置が得られず、電話番号が得られた場合は、得られた電話番号で特定される地域への経路を作成するようにしたものであり、住所または位置が不明で電話番号がわかる場合、地図上に電話番号で特定される地域への経路が自動的に示され、地図上で目的の特定地域を探してまわる手間がかからなく、そのナビゲーションを容易にするという作用を有する。
【手続補正４】
【補正対象書類名】明細書
【補正対象項目名】０００９
【補正方法】変更
【補正の内容】
【０００９】
本発明の請求項３に記載の発明は、請求項１に記載の自動経路作成装置において、オンラインセンターによる検索の結果住所または位置が得られず、電話番号が得られた場合は、得られた電話番号で特定される地域の地図情報を地図情報読み出し手段より読み出して、入力された氏名または施設名に該当する情報が得られた場合は、得られた情報に基づいて経路を作成するようにしたものであり、住所または位置が不明で電話番号がわかる場合、地図上に電話番号で特定される地域への経路が自動的に示され、地図上で目的の特定地域を探してまわる手間がかからなく、そのナビゲーションを容易にするという作用を有する。
【手続補正５】
【補正対象書類名】明細書
【補正対象項目名】００１０
【補正方法】変更
【補正の内容】
【００１０】
本発明の請求項４に記載の発明は、請求項１に記載の自動経路作成装置において、入力手段から入力された施設名、氏名をまず地図情報読み出し手段より検索し、対応する特定できる位置、住所、電話番号等の情報を得られた場合には、オンラインセンターにアクセスせずに得られた情報に対応する位置までの経路を作成するようにしたものであり、オンラインセンターを利用せずに直接に地図情報により推定できる位置までの経路が自動的に示され、地図上で目的地を探してまわる手間がかからなく、そのナビゲーションを容易にするという作用を有する。
【手続補正６】
【補正対象書類名】明細書
【補正対象項目名】００１１
【補正方法】変更
【補正の内容】
【００１１】
本発明の請求項５に記載の発明は、請求項１に記載の自動経路作成装置において、オンラインセンターで検索された位置、住所、電話番号等の情報を記憶する記憶手段をさらに有し、アクセス手段は、入力手段から氏名または施設名が入力されると、オンラインセンターにアクセスする前にまず記憶手段を検索し、入力手段から入力された氏名または施設名に対応する位置、住所、電話番号が得られた場合はオンラインセンターにアクセスせずに、得られた位置、住所、電話番号に基づき、経路を作成するようにしたものであり、不揮発性記憶手段を利用し、オンラインセンターにアクセスすることなく随時に地図上に目的の住所または施設への経路が自動的に示され、地図上で目的の住所または施設を探してまわる手間がかからなく、そのナビゲーションを容易にするという作用を有する。
【手続補正７】
【補正対象書類名】明細書
【補正対象項目名】００１２
【補正方法】変更
【補正の内容】
【００１２】
本発明の請求項６に記載の発明は、請求項１〜３のいずれかに記載の自動経路作成装置において、複数のオンラインセンターのうちから一つを選択する手段をさらに有し、選択されたオンラインセンターにアクセスして検索を行い、経路を作成するようにしたものであり、個人情報に詳しいオンラインセンター、施設情報に詳しいオンラインセンター、地方情報に詳しいオンラインセンター、ある目的（レストラン情報、遊戯場情報等）に詳しいオンラインセンター等の中から一つのオンラインセンターを選択し、すみやかに地図上に目的の住所または施設への経路が自動的に示され、地図上で目的の住所または施設を探してまわる手間がかからなく、そのナビゲーションを容易にするという作用を有する。